(57)【要約】【課題】再開封時にも開封部分が触感で認識可能なカートンの再封止可能な開封構造と該開封構造を用いて作製した再封止可能なカートンを提供すること。【解決手段】折り曲げ部２はカートン側面７に折り曲げ線方向に一定間隔をおいて二本の切断線ｃ，ｄが設けられ、二本の切断線に挟まれて開封つまみ部分４が形成され、開封つまみ部分４は、略中央に外方に膨らむ切断線ｅが形成されて外側に位置するつまみ部５と内側に位置する差し込み部６が区画形成され、外方に膨らむ切断線の先端Ａと末端Ｂからカートンの左右端に向けてカートン開封用の折り曲げ線と平行に二本の切断線を結ぶ第２折り曲げ線ｆが設けられた構造からなり、固定部３は、折り曲げ部の開封つまみ部に区画形成された差し込み部６が差し込み可能な係止切断線ｇが形成された構造からなる。【選択図】図１
2007126194.tif 000002
【特許請求の範囲】
【請求項１】
カートンの開封予定部分に設けられ、カートン側面に形成される折り曲げ線により開閉可能な折り曲げ部と、該折り曲げ部と重なる固定部からなる再封可能なカートンの開封構造であって、
前記折り曲げ部は、カートン側面（開封予定部分）に折り曲げ線方向に一定間隔をおいて少なくとも二本の切断線が設けられ、
該二本の切断線に挟まれて開封つまみ部分が形成され、
前記開封つまみ部分は、略中央に切れ刃により外方に膨らむ切断線が形成されて、該外方に膨らむ切断線の外側に位置するつまみ部と、切断線の内側に位置する差し込み部が区画形成され、
外方に膨らむ切断線の先端と末端からそれぞれカートンの左右端に向けてカートン開封用の折り曲げ線と平行に二本の切断線を結ぶ第２折り曲げ線が設けられた構造からなり、
前記固定部は、折り曲げ部の開封つまみ部分に区画形成された差し込み部が差し込み可能な係止切断線が形成され、
た構造からなることを特徴とする、再封可能なカートンの開封構造。
【請求項２】
前記少なくとも二本の切断線は隣接する面まで連続して形成されていることを特徴とする請求項１記載の再封可能なカートンの開封構造。
【請求項３】
前記少なくとも二本の切断線は左右対称に設けられていることを特徴とする請求項１又は２記載の再封可能なカートンの開封構造。
【請求項４】
請求項１〜３のいずれか１項記載のカートンの開封構造を用いて作成された再封可能なカートン。
【請求項５】
矩形の底板の両側に側板が設けられ、該側板の一方に底板と対称状に天板が設けられ、
天板の側板が連設されていない側に下垂板が側板の上に側板と重ねて設けられ、
底板と天板の左右端は妻板により閉鎖されたカートンにおいて、
前記下垂板の天板が連設されていない側の端縁から天板方向に、下垂板を通過して天板の略中央に達する二本の切断線が一定間隔をおいて左右対称に設けられ、
下垂板の天板が連設されていない側の端縁寄りには、前記二本の切断線に挟まれて開封つまみ部分が形成され、
開封つまみ部分は、略中央に形成される外方に膨らむ切断線により切断線の外側に位置するつまみ部と、切断線の内側に位置する差し込み部が区画形成され、
外方に膨らむ切断線の先端と末端からそれぞれカートンの左右端に向けてカートン開封用の折り曲げ線と平行に二本の切断線を結ぶ第２折り曲げ線が設けられ、て請求項１記載のカートンの開封構造における折り曲げ部が形成され、
下垂板と重なる側板には、下垂板に形成される開封つまみ部分の差し込み部が差し込み可能な係止切断線が穿設されて、請求項１記載のカートンの開封構造における固定部が形成された構造からなることを特徴とする再封可能なトップオープンカートン。
【請求項６】
前記下垂板の略中央に形成される開封つまみ部分の端縁は、両端の下垂板の端縁より突出して形成されていることを特徴とする請求項５記載の再封可能なトップオープンカートン。
【発明の詳細な説明】
【技術分野】
【０００１】
本発明は、カートンの開封構造と該開封構造を用いて作成した再封止可能なカートン及び再封止可能なトップオープンカートンに関し、詳しくは、目視認識のほかに指先での触感でも認識可能なユニバーサルデザイン対応のカートンの開封構造と該開封構造を用いて作成した再封止可能なカートン及び再封止可能なトップオープンカートンに関する。
【背景技術】
【０００２】
従来のカートンの再封止可能な開封構造と該開封構造を用いて作成した再封止可能なカートンは、例えば、図９、図１０に示すような差し込み片（３１５）を切り込み（３１３）に挿入係止する方法（特許文献１参照）や、コ字形切溝（ｍ）で囲まれた突起部を蓋板（４０６）の切線（ｎ）に嵌入することで蓋板（４０７）を固定し容器を再封止する方法（特許文献２参照）が知られている。
【０００３】
上記先行技術文献を示す。  
【特許文献１】実公昭５８−２６８９２号公報。
【特許文献２】実公昭５８−８６５６号公報。
【発明の開示】
【発明が解決しようとする課題】
【０００４】
しかし、差し込み片（３１５）やコ字形切溝（ｍ）で囲まれた突起部はフラットになって、開封時にはつかみにくく、また、つかんでからも指にひっかかる部分がないためつまみあげて開封することは容易ではない。また、再封止の際もつまみ部分を折り返すなどの複雑な動きを必要としているものが多く、わかりにくい。さらに、開封部分を触感で認識することはできなかった。
【０００５】
本発明は、カートンの再封止可能な開封構造に関する以上のような問題に鑑みてなされたもので、再開封時にも開封部分が触感で認識可能なカートンの再封止可能な開封構造と該開封構造を用いて作成した再封止可能なカートンを提供することを課題とする。
【課題を解決するための手段】
【０００６】
本発明の請求項１の発明は、カートンの開封予定部分に設けられ、カートン側面に形成される折り曲げ線により開閉可能な折り曲げ部と、該折り曲げ部と重なる固定部からなる再封可能なカートンの開封構造であって、
前記折り曲げ部は、カートン側面（開封予定部分）に折り曲げ線方向に一定間隔をおいて少なくとも二本の切断線が設けられ、
該二本の不連続な切断線に挟まれて開封つまみ部分が形成され、
前記開封つまみ部分は、略中央に切れ刃により外方に膨らむ切断線が形成されて、該外方に膨らむ切断線の外側に位置するつまみ部と、切断線の内側に位置する差し込み部が区画形成され、
外方に膨らむ切断線の先端と末端からそれぞれカートンの左右端に向けてカートン開封用の折り曲げ線と平行に二本の切断線を結ぶ第２折り曲げ線が設けられた構造からなり、
前記固定部は、折り曲げ部の開封つまみ部に区画形成された差し込み部が差し込み可能な係止切断線が形成された構造からなることを特徴とする再封可能なカートンの開封構造である。
【０００７】
このように請求項１記載の発明によれば、カートンの開封予定部分に設けられ、カートン側面に形成される折り曲げ線により開閉可能な折り曲げ部と、該折り曲げ部と重なる固定部からなる再封可能なカートンの開封構造であって、前記折り曲げ部は、カートン側面（開封予定部分）に折り曲げ線方向に一定間隔をおいて少なくとも二本の切断線が設けられ、該二本の不連続な切断線に挟まれて開封つまみ部分が形成され、前記開封つまみ部分は、略中央に切れ刃により外方に膨らむ切断線が形成されて、該外方に膨らむ切断線の外側に位置するつまみ部と、切断線の内側に位置する差し込み部が区画形成され、外方に膨らむ切断線の先端と末端からそれぞれカートンの左右端に向けてカートン開封用の折り曲げ線と平行に二本の切断線を結ぶ第２折り曲げ線が設けられた構造からなり、前記固定部は、折り曲げ部の開封つまみ部に区画形成された差し込み部が差し込み可能な係止切断線が形成された構造からなるので、開封予定部分のつまみ部を二本の切断線に沿って固定部から引き剥がすと、二本の切断線は切断されて、折り曲げ部は折り曲げ線に沿って折れ曲がり開封されて中が露出する。その時開封つまみ部分は外方に膨らむ切断線と第２折り曲げ線によって差し込み部とつまみ部に分離され、つまみ部は谷折りされ外側に突出した状態になっている。折り曲げ部を再封鎖する際は、折り曲げ部を元に戻すと差し込み部は、固定部の係止切断線に差し込まれて再封止される。つまみ部は外側に突出したかたちになっていると共に差し込み部の抜けた穴が発生して指先等で認識し易い状態になる。従って、再度開封する際は、目視認識とともに指先等の触覚でも認識することができる。
なお、カートン側面（開封予定部分）に一定間隔をおいて形成される少なくとも二本の切断線は、カートン側面の端縁から形成しても良いし、中央近傍から形成しても良い。中央近傍から形成する場合には一般的には先端同士を切断線などで結び、つまみ部をつかみ易くしている。
【０００８】
また、請求項２の発明は、請求項１の発明において、前記少なくとも二本の切断線は隣接する面まで連続して形成されていることを特徴とする再封可能なカートンの開封構造である。
【０００９】
このように請求項２記載の発明によれば、少なくとも二本の切断線は隣接する面まで連続して形成されているので、開封や再封動作がし易いという利点がある。
【００１０】
また、請求項３の発明は、請求項１又は２の発明において、前記少なくとも二本の切断線は左右対称に形成されていることを特徴とする再封可能なカートンの開封構造である。
【００１１】
このように請求項３記載の発明によれば、少なくとも二本の切断線は左右対称に形成されているので、開封する際、折り曲げ部を綺麗に開封することができるし、綺麗な開封部分が露出する。
【００１２】
また、請求項４の発明は、請求項１、２又は３記載のカートンの開封構造を用いて作成された再封可能なカートンである。
【００１３】
また、請求項５の発明は、矩形の底板の両側に側板が設けられ、該側板の一方に底板と対称状に天板が設けられ、
天板の側板が連設されていない側に下垂板が側板の上に側板と重ねて設けられ、
底板と天板の左右端には妻板により閉鎖されたカートンにおいて、
前記下垂板の天板が連設されていない側の端縁から天板方向に、下垂板を通過して天板の略中央に達する二本の切断線が一定間隔をおいて左右対称に設けられ、
下垂板の天板が連設されていない側の端縁寄りには、前記二本の切断線に挟まれて開封つまみ部分が形成され、
開封つまみ部分は、略中央に形成される外方に膨らむ切断線により切断線の外側に位置
するつまみ部と、切断線の内側に位置する差し込み部が区画形成され、
外方に膨らむ切断線の先端と末端からそれぞれカートンの左右端に向けてカートン開封用の折り曲げ線と平行に二本の切断線を結ぶ第２折り曲げ線が設けられ、て請求項１記載のカートンの開封構造における折り曲げ部が形成され、
下垂板と重なる側板には、下垂板に形成される開封つまみ部分の差し込み部が差し込み可能な係止切断線が穿設されて、請求項１記載のカートンの開封構造における固定部が形成された構造からなることを特徴とする再封可能なトップオープンカートンである。
【００１４】
このように請求項５記載の発明によれば、下垂板の天板が連設されていない側の端縁から天板方向に、下垂板を通過して天板の略中央に達する二本の切断線が一定間隔をおいて左右対称に設けられ、下垂板の天板が連設されていない側の端縁寄りには、前記二本の切断線に挟まれて開封つまみ部分が形成され、開封つまみ部分は、略中央に形成される外方に膨らむ切断線により切断線の外側に位置するつまみ部と、切断線の内側に位置する差し込み部が区画形成され、外方に膨らむ切断線の先端と末端からそれぞれカートンの左右端に向けてカートン開封用の折り曲げ線と平行に二本の切断線を結ぶ第２折り曲げ線が設けられ、て請求項１記載のカートンの開封構造における折り曲げ部が形成され、下垂板と重なる側板には、下垂板に形成される開封つまみ部分の差し込み部が差し込み可能な係止切断線が穿設されて、請求項１記載のカートンの開封構造における固定部が形成された構造からなる再封可能なトップオープンカートンなので、開封予定部分のつまみ部を二本の切断線に沿って固定部から引き剥がすと、二本の切断線は切断されて、折り曲げ部は折り曲げ線に沿って折れ曲がり開封されて中が露出する。その時開封つまみ部分は外方に膨らむ切断線と第２折り曲げ線によって差し込み部とつまみ部に分離され、つまみ部は谷折りされ外側に突出した状態になっている。折り曲げ部を再封止する際は、折り曲げ部を元に戻すと差し込み部は、固定部の係止切断線に差し込まれて再封止される。つまみ部は外側に突出したかたちになっていると共に差し込み部の抜けた穴が発生して指先等で認識し易い状態になる。従って、再度開封する際は目視認識とともに指先等の触覚でも認識することができる。
【００１５】
また、請求項６の発明は、請求項５の発明において、前記下垂板の略中央に形成される開封つまみ部分の端縁は、両側の下垂板の端縁より突出して形成されていることを特徴とする再封可能なトップオープンカートンである。
【００１６】
このように請求項６記載の発明によれば、下垂板の略中央に形成される開封つまみ部分の端縁は、両側の下垂板の端縁より突出して形成されているので、カートンを開封する際、あるいはカートンを再封する際に、目視以外に指先等による触感によっても簡単に開封つまみ部分を見つけ出すことができる。
【発明の効果】
【００１７】
このように本発明のカートンの開封構造と該開封構造を用いて作成した再封可能なカートン及び再封可能なトップオープンカートンは、開封つまみ部分を持ち上げるとき、外方に膨らむ切断線と第２折り曲げ線によりつまみ分が手前に折れ、差し込み部形成のための穴が発生するため、つまみ部を指先で触覚として認識することができ、開封が容易になる。ユニバーサルデザイン対応のカートンの開封構造にもなっている。
【００１８】
再封止の際には、開封つまみ部分のつまみ部から残った部分が差し込み部となり、蓋を閉めながら係止切れ目線に差し込むことで容易に再封止できる。
再開封時には、つまみ部が折れ曲がり、外側に向いているためつまみ部を容易に認識することができ、開封が容易になる。
【００１９】
このように初回開封時から再封止、再開封にいたるすべての工程において使いやすい構
造である。また、カートンの形状もトップオープンタイプのみならず幅広いカートンの開封予定部分に取り付け可能なカートンの開封構造である。
【発明を実施するための最良の形態】
【００２０】
本発明を一実施形態に基づいて以下に詳細に説明する。
本発明のカートンの開封構造は、例えば、図１に示すように、カートンの開封予定部分に設けられ、カートン側面（７）に形成される折り曲げ線（ａ）により開閉可能な折り曲げ部（２）と、該折り曲げ部と重なる固定部（３）からなる再封止可能なカートンの開封構造（１）である。
【００２１】
つぎに折り曲げ部（２）の構造について述べる。カートン側面（開封予定部分）の端縁（ｂ）から折り曲げ線（ａ）方向に一定間隔をおいて二本の切断線（ｃ、ｄ）が設けられ、この二本の切断線（ｃ、ｄ）に挟まれて開封つまみ部分（４）が形成されている。
この二本の切断線（ｃ、ｄ）は、図示のようなミシン目線状の不連続な切断線であっても、図示してないが半切れ線（ハーフカット線）であっても構わない。
【００２２】
二本の切断線（ｃ、ｄ）は、開封つまみ部分（４）を形成している面から、その面に連続する隣の面まで達する長さに設けておくことにより、開封つまみ部分が長くなってカートンを開封する際に容易にカートンを開封することができるようになる。
また、二本の切断線（ｃ、ｄ）を左右対称に設けることにより開封つまみ部分（４）も左右対称に形成され、見た目が良くなる。
【００２３】
開封つまみ部分（４）には、略中央に切れ刃により外方に膨らむ切断線（ｅ）が形成されていて、切断線の外側に位置するつまみ部（５）と、切断線の内側に位置する差し込み部（６）が区画形成されている。
外方に膨らむ切断線（ｅ）により区画形成される差し込み部（６）の形状は、半円状のほかに、図２に示すような四角形状、台形状、半月状などの形状としても良い。
【００２４】
また、外方に膨らむ切断線（ｅ）の先端（Ａ）と末端（Ｂ）からそれぞれカートンの左右端に向けてカートン開封用の折り曲げ線（ａ）と平行に二本の切断線（ｃ、ｄ）を結ぶ第２折り曲げ線（ｆ、ｆ）が設けられている。折り曲げ部（２）はこのような構造からなっている。
【００２５】
そして固定部は（３）は、折り曲げ部の開封つまみ部に区画形成された差し込み部が差し込み可能な係止切れ目線（ｇ）が形成された構造からなる。
【００２６】
つぎにこのカートンの開封構造をトップオープンカートンの開封予定部分に取り付けた場合の一実施例につき、図３から図６に基づいて説明する。
【００２７】
図６は、トップオープンカートンを展開したブランクの平面説明図である。
矩形の底板（１１）の両側にそれぞれ折り曲げ線を介して側板（１２、１３）が連設され、側板（１３）の一方に底板（１１）と対称状に折り曲げ線を介して天板（１４）が連設されている。
【００２８】
天板（１４）の側板（１３）が連設されていない側に折り曲げ線（ａ）を介して下垂板（１５）が連設されている。下垂板（１５）には本発明の開封構造が形成されている。すなわち、下垂板（１５）は折り曲げ部であり、下垂板（１５）の天板（１４）が連設されていない方の端縁（ｂ）から天板方向に、下垂板（１５）を通過して天板（１４）の略中央に達する二本の切断線（ｃ、ｄ）が一定間隔をおいて設けられている。
【００２９】
下垂板（１５）の天板が連設されていない側の端縁（ｂ）から下垂板を通過して天板の略中央に達する二本の切断線（ｃ、ｄ）に挟まれて開封つまみ部分（１６）が形成されている。
【００３０】
この開封つまみ部分（１６）は、略中央に外方に膨らむ切断線（ｅ）により切断線の外側（下側）に位置するつまみ部（１６１）と、切断線（ｅ）の内側（上側）に位置する差し込み部（１６２）が区画形成されている。
【００３１】
さらに切断線（ｅ）の先端（Ａ）と末端（Ｂ）からそれぞれカートンブランクの外方に向けて折り曲げ線（ａ）と平行に二本の切断線（ｃ、ｄ）を結ぶ第２折り曲げ線（ｆ、ｆ）が設けられている。
【００３２】
二本の切断線（ｃ、ｄ）の末端同士は折り曲げ線（ｈ）により結ばれている。折り曲げ線（ｈ）を形成することにより、後記する開封つまみ部からカートンを開封した際に、開封した天板の蓋部分（１４３）の折りくせがつき易くなる。
【００３３】
カートンに組み立てた際に下垂板（１５）の下に重なる側板（１２）、すなわち、底板（１１）に連設された側板の天板が連設していない方の側板（１２）は、本発明のカートンの開封構造における固定部を形成していて、側板（１２）には下垂板に形成される開封つまみ部分の差し込み部（１６２）が差し込み可能な係止切断線（ｇ）が穿設されている。  
【００３４】
底板（１１）の左右端には折り曲げ線を介してそれぞれ妻板（１１１、１１２）が連設され、側板（１３）の左右端には折り曲げ線を介してそれぞれ舌片（１３１、１３２）が連設されている。
【００３５】
また、天板（１４）の左右端には折り曲げ線を介してそれぞれ妻板（１４１、１４２）が連設され、下垂板（１５）の左右端には折り曲げ線を介してそれぞれ舌片（１５１、１５２）が連設されている。
【００３６】
このような構造からなるカートンブランクを折り曲げ線に沿って折り曲げ、また、必要箇所は糊付けする等の加工作業により、矩形の底板（１１）の両側に側板が設けられ、側板の一方に底板と対称状に天板（１４）が設けられ、天板の側板が連設されていない側には下垂板（１５）が側板の上に側板と重ねられ、底板と天板の左右端は妻板や舌片により閉鎖され、下垂板（１５）などに本発明のカートンの開封構造を取り付けたトップオープンカートンが組上がる。なお、下垂板（１５）の内面と側板（１２）の外面とは両端縁部分のみを接着して、中央部分は開封つまみ部分から開封し易いように未接着状態にしておくことが必須である（図３参照）。
【００３７】
このカートンを開封する際にはつぎのようにする。すなわち、下垂板（１５）の開封つまみ部分（１６）を端縁を持って持ち上げると、二本の切断線（ｃ、ｄ）、外方に膨らむ切断線（ｅ）および第２折り曲げ線（ｆ、ｆ）によりつまみ部（１６１）が手前に折れ、かつ、外方に膨らむ切断線（ｅ）により開封つまみ部分（１６）が折れ曲がったつまみ部（１６１）とそうでない差し込み部（１６２）に分離して指先で認識できる穴が発生するため、つまみ部（１６１）を触感として認識することができ開封が容易になる。
【００３８】
引き続き開封つまみ部分（１６）を持ち上げると、開封つまみ部分は二本の切断線（ｃ、ｄ）に沿って破れて蓋部分（１４３）となり、天板（１４）の蓋部分（１４３）が開いて開封が完了する（図４参照）。
【００３９】
蓋部分（１４３）を封止する際は、外方に膨らむ切断線（ｅ）により形成された差し込み部（１６２）を蓋部分を閉めながら側板（１２）の係止切断線（ｇ）に差し込むことで容易に再封止できる（図５参照）。
【００４０】
再度開封する際には、つまみ部（１６１）が折れ曲がり外側に向いているためつまみ部（１６１）を容易に認識することができ開封が容易になる。
【００４１】
トップオープンタイプのカートンの開封構造としてだけではなく、例えば、図７、図８に示すような構造のカートンにおける使用も効果的であり、幅広い開封構造に応用使用が可能である。
【図面の簡単な説明】
【００４２】
【図１】本発明のカートンの開封構造の一実施例を示す、（ａ）は折り曲げ部の平面説明図であり、（ｂ）は固定部の平面説明図である。
【図２】折り曲げ部の開封つまみ部分に、外方に膨らむ切断線により区画形成される差し込み部の形状の一例を示す説明図である。
【図３】本発明のカートンの開封構造を開封予定部分に取り付けたカートンの一実施例を示す斜視説明図である。
【図４】図３のカートンを開封した状態を示す斜視説明図である。
【図５】図３のカートンを再封止した状態を示す斜視説明図である。
【図６】図３のカートンのブランクの展開説明図である。
【図７】本発明のカートンの開封構造を開封予定部分に取り付けたカートンの別の実施例を示す斜視説明図である。
【図８】本発明のカートンの開封構造を開封予定部分に取り付けたカートンのさらに別の実施例を示す斜視説明図である。
【図９】（ａ）、（ｂ）は従来の再封止可能なカートンの一例を示す斜視説明図である。
【図１０】（ａ）、（ｂ）は従来の再封止可能なカートンの別の一例を示す斜視説明図である。
【符号の説明】
【００４３】
１‥‥カートンの開封構造
２‥‥折り曲げ部
３‥‥固定部
４‥‥開封つまみ部分
５‥‥つまみ部
６‥‥差し込み部
７‥‥カートン側面
１０‥‥カートンブランク
１１‥‥底板
１２‥‥側板
１３‥‥側板
１４‥‥天板
１５‥‥下垂板
１６‥‥開封つまみ部
１１１‥‥妻板
１１２‥‥妻板
１３１‥‥舌片
１３２‥‥舌片
１４１‥‥妻板
１４２‥‥妻板
１４３‥‥蓋部分
１５１‥‥舌片
１５２‥‥舌片
１６１‥‥つまみ部
１６２‥‥差し込み部
３１３‥‥切り込み
３１５‥‥差し込み片
４０６‥‥蓋板
４０７‥‥蓋板
ａ‥‥折り曲げ線
ｂ‥‥カートンの端縁
ｃ‥‥切断線
ｄ‥‥切断線
ｅ‥‥外方に膨らむ切断線
ｆ‥‥第２折り曲げ線
ｇ‥‥係止切断線
ｈ‥‥折り曲げ線
ｍ‥‥コ字形切溝
ｎ‥‥切線
Ａ‥‥外方に膨らむ切断線の先端
Ｂ‥‥外方に膨らむ切断線の末端
【図１】
2007126194.tif 000003
【図２】
2007126194.tif 000004
【図３】
2007126194.tif 000005
【図４】
2007126194.tif 000006
【図５】
2007126194.tif 000007
【図６】
2007126194.tif 000008
【図７】
2007126194.tif 000009
【図８】
2007126194.tif 000010
【図９】
2007126194.tif 000011
【図１０】
2007126194.tif 000012